(57)【要約】【課題】パンチプレスにおけるダイを容易に着脱交換することのできるダイ支持装置を提供する。【解決手段】パンチプレスにおいてダイ５を支持するダイ支持装置３であって、ダイ５を支持するダイホルダ４の上面にダイ５を水平方向に案内するダイガイド溝７を備え、このダイガイド溝７に沿ってダイホルダ４上に載置されたダイ５を嵌合して当該ダイ５の位置決めを行う位置決め孔９を備えた位置決めスペーサ１１を、前記ダイホルダ４の上面に上下動自在かつ下方向へ付勢して備えている。また、前記ダイホルダ４に、当該ダイホルダ４の外側面及び上面に開口した開口溝２２を、前記ダイガイド溝７に沿って備えている。さらに、前記位置決めスペーサ１１における位置決め孔９の下部周縁に、当該位置決め孔９内にダイ５を案内するためのガイド面２１を備えている。【選択図】図２
2009262189.tif 000002
【特許請求の範囲】
【請求項１】
パンチプレスにおいてダイを支持するダイ支持装置であって、ダイを支持するダイ支持部材の上面にダイを水平方向に案内するダイガイド溝を備え、このダイガイド溝に沿ってダイ支持部材上に載置されたダイを嵌合して当該ダイの位置決めを行う位置決め孔を備えた位置決めスペーサを、前記ダイ支持部材の上面に上下動自在かつ下方向へ付勢して備えていることを特徴とするパンチプレスにおけるダイ支持装置。
【請求項２】
請求項１に記載のパンチプレスにおけるダイ支持装置において、前記ダイ支持部材に、当該ダイ支持部材の外側面及び上面に開口した開口溝を、前記ダイガイド溝に沿って備えていることを特徴とするパンチプレスにおけるダイ支持装置。
【請求項３】
請求項１又は２に記載のパンチプレスにおけるダイ支持装置において、前記位置決めスペーサにおける位置決め孔の下部周縁に、当該位置決め孔内にダイを案内するためのガイド面を備えていることを特徴とするパンチプレスにおけるダイ支持装置。
【請求項４】
請求項１，２又は３に記載のパンチプレスにおけるダイ支持装置において、前記ダイ支持部材はパンチプレスにおいて複数のダイを支持する下部タレット又は複数のダイを支持するダイ支持ブロックであることを特徴とするパンチプレスにおけるダイ支持装置。
【請求項５】
請求項１，２又は３に記載のパンチプレスにおけるダイ支持装置において、前記ダイ支持部材はパンチプレスに着脱可能なダイホルダであることを特徴とするパンチプレスにおけるダイ支持装置。
【発明の詳細な説明】
【技術分野】
【０００１】
本発明は、例えばタレットパンチプレスなどのごときパンチプレスにおけるダイ支持装置に係り、さらに詳細には、ダイの着脱交換を容易に行うことのできるダイ支持装置に関する。
【背景技術】
【０００２】
例えばタレットパンチプレス等のごときパンチプレスにおいては、ダイを支持するダイ支持部材としての下部タレットに備えたダイ装置孔に対してダイを上下方向に着脱交換することが行われていた。この場合、下部タレットと対向した上部タレットが邪魔になるので、下部タレットに対するダイの着脱交換が厄介であるという問題があった。そこで、下部タレットに対して上部タレットを小径に構成すると共に上下のタレットの回転軸を互いに偏倚した位置に設けて、下部タレットにおける上面の一部を開放してダイの着脱交換を容易に行うことのできるタレットパンチプレスが開発されている。
【０００３】
また、タレットパンチプレスにおける下部タレットに対して水平方向に着脱可能なダイホルダをダイ支持部材として備え、このダイ支持部材としてのダイホルダに対してダイを着脱交換する構成もある（特許文献１，２参照）。さらに、パンチプレスとしては、パンチプレスの所定位置においてダイを支持するパンチプレスもあり、この種のパンチプレスにおいては所定位置に設けたインデックス用ギヤに対して着脱交換可能なダイホルダをダイ支持部材として備え、このダイ支持部材としてのダイホルダに対してダイの着脱交換を行うものである（特許文献３参照）。
【特許文献１】特開２００５−１３１６９１号公報
【特許文献２】特開平１１−９０５５７号公報
【特許文献３】特開２００２−１４３９４５号公報
【発明の開示】
【発明が解決しようとする課題】
【０００４】
タレットパンチプレスにおけるダイ支持部材としての下部タレットに備えたダイ装着孔に対してダイを着脱交換する構成や、前記特許文献１，２に示されているように、ダイ支持部材としてのダイホルダに備えたダイ装着孔に対してダイを着脱交換する構成、及び特許文献３に示されているように、インデックス用ギヤに対して着脱可能なダイホルダに対してダイを着脱交換する構成においては、ダイ装着孔に対してダイを上下方向に着脱交換する構成である。
【０００５】
したがって、ダイ装着孔の内周面とダイの外周面とのクリアランスがミクロン単位であって極めて小さなクリアランスであるので、ダイの軸心が僅かに傾斜すると、かじり現象を生じ易いものである。また、ダイ装着孔に対してダイを上方から装着するとき、ダイ装着孔から上方へのダイの突出量が次第に少なくなるので、ダイを把持し難いものであり、ダイの着脱交換がより容易に行い得る構成が望まれていた。
【課題を解決するための手段】
【０００６】
本発明は、前述のごとき問題に鑑みてなされたもので、パンチプレスにおいてダイを支持するダイ支持装置であって、ダイを支持するダイ支持部材の上面にダイを水平方向に案内するダイガイド溝を備え、このダイガイド溝に沿ってダイ支持部材上に載置されたダイを嵌合して当該ダイの位置決めを行う位置決め孔を備えた位置決めスペーサを、前記ダイ支持部材の上面に上下動自在かつ下方向へ付勢して備えていることを特徴とするものである。
【０００７】
また、前記パンチプレスにおけるダイ支持装置において、前記ダイ支持部材に、当該ダイ支持部材の外側面及び上面に開口した開口溝を、前記ダイガイド溝に沿って備えていることを特徴とするものである。
【０００８】
また、前記パンチプレスにおけるダイ支持装置において、前記位置決めスペーサにおける位置決め孔の下部周縁に、当該位置決め孔内にダイを案内するためのガイド面を備えていることを特徴とするものである。
【０００９】
また、前記パンチプレスにおけるダイ支持装置において、前記ダイ支持部材はパンチプレスにおいて複数のダイを支持する下部タレット又は複数のダイを支持するダイ支持ブロックであることを特徴とするものである。
【００１０】
また、前記パンチプレスにおけるダイ支持装置において、前記ダイ支持部材はパンチプレスに着脱可能なダイホルダであることを特徴とするものである。
【発明の効果】
【００１１】
本発明においては、ダイ支持部材の上面に備えたダイガイド溝に沿ってダイを水平方向に着脱交換する構成であり、前記ダイ支持部材に対するダイの位置決めは、ダイ支持部材に上下動自在かつ下方向へ付勢して備えた位置決めスペーサの位置決め孔にダイを嵌合することによって行われるものである。
【００１２】
したがって、前記ダイガイド溝に沿ってのダイの着脱交換が容易であり、また前記位置決め孔に対してダイの軸心が傾斜するようなことがなく、位置決め孔に対するダイの着脱を容易に行い得るものである。すなわち前述したごとき従来の問題を解消し得るものである。
【発明を実施するための最良の形態】
【００１３】
以下、図面を用いて本発明の実施形態について説明するに、本発明は、パンチプレスの一例としてのタレットパンチプレスに実施した場合について例示する。しかし、パンチプレスはタレットパンチプレスに限ることなく、前記特許文献３に示されているように、所定位置にダイを単数又は複数備えた構成のパンチプレスや、複数のパンチ，ダイを支持したパンチ支持ブロック、ダイ支持ブロックがＸ方向又はＹ方向に移動する構成のパンチプレスなど、種々の形式のパンチプレスに適用することができるものである。
【００１４】
図１を参照するに、図１はタレットパンチプレスにおける下部タレット１の上面に複数のダイ支持装置３を備えた場合を例示するものである。なお、前記特許文献１，２に記載されているように、ダイホルダ４がダイ５を直接支持する構成の場合には、ダイホルダ４がダイ支持部材に相当するものである。
【００１５】
下部タレット１上に備えられて前記ダイ５を支持するダイ支持部材としてのダイホルダ４の上面には、前記ダイ５を水平に案内するダイガイド溝７が外側縁から内方向（下部タレット１の径方向）に形成してある。そして、このダイガイド溝７に沿ってダイホルダ４上に載置された前記ダイ５の移動を規制して位置決めを行うために、前記ダイ５を嵌合して位置決めを行うための位置決め孔９を備えた位置決めスペーサ１１が前記ダイホルダ４の上面に上下動自在かつ下方向へ付勢して備えられている。
【００１６】
より詳細には、前記ダイホルダ４の複数箇所には上下方向に垂直に貫通した貫通孔が形成してあり、この貫通孔及び下部タレット１に設けた貫通孔（図示省略）にはそれぞれの昇降ロッド１３が垂直に上下動自在に貫通してある。そして、上記各昇降ロッド１３の上端部に前記位置決めスペーサ１１が一体的に取り付けてあり、この昇降ロッド１３の下端部に備えた大径の頭部と前記下部タレット１の下面との間には、昇降ロッド１３を下方向へ付勢するための付勢手段の一例としてのコイルスプリングなどのごとき弾性部材１５が弾装してある。
【００１７】
したがって、前記昇降ロッド１３が前記貫通孔に案内されて垂直に上下動することにより、前記位置決めスペーサ１１は水平を保持して上下動するものであり、この位置決めスペーサ１１に設けた前記位置決め孔９の内径は前記ダイ５の外径に対応した径に形成してある。そして、前記位置決め孔９の内周面の適宜位置には、前記ダイ５の外周面の適数箇所に形成したキー溝１７に係合するキー１９が備えられている。さらに、前記位置決め孔９における下部外周縁には、ダイ５と前記位置決め孔９とが僅かに位置ずれしている場合に、ダイ５を位置決め孔９の軸心に一致するように案内するためのガイド面２１が備えられている。このガイド面２１はテーパ面又はＲ面（円弧状の面取りを行った面）に形成してある。
【００１８】
前記ダイホルダ４及び下部タレット１において前記ダイガイド溝７に対応した位置には、上記ガイド溝７の幅寸法よりも幅寸法が小さな開口溝２２，２３がそれぞれ形成してある。この開口溝２２，２３は、ダイホルダ４，下部タレット１の外側面及び上面に開口した溝であって前記ダイガイド溝７に沿って長く形成してある。この開口溝２２，２３は、成形用ダイ（図示省略）の下部に下方向へ長く突出して備えられたエジェクタースプリングなどとの干渉を回避するためのものである。
【００１９】
以上のごとき構成において、パンチプレスに備えた例えばエアーシリンダ等のごとき上下動用アクチュエータ（図示省略）によって昇降ロッド１３を上方向に押圧し、付勢手段１５の付勢力に抗して押し上げると、図１に示すように、位置決めスペーサ１１が水平状態を保持して高く押し上げられる。したがって、前記位置決めスペーサ１１はダイホルダ４の上面から上方向に高く離隔し、位置決めスペーサ１１の下面とダイホルダ４の上との間には、ダイ５を水平方向に着脱交換するために、ダイホルダ４の外側方に開口した空間部が形成されることになる。
【００２０】
上述のように、位置決めスペーサ１１が高く押し上げられた状態にあるとき、前記空間部内において、ダイホルダ４の上面に形成されたダイガイド溝７に沿ってダイ５を内方向又は外方向へ水平に移動することにより、前記ダイホルダ４に対してダイ５の装着又は取り外しを行うことができるものである。前記ダイガイド溝７に沿ってダイ５を内方向の所定位置へ移動し、ダイホルダ４の所定位置にダイ５を載置した状態にあるとき、前記上下動用アクチュエータによる昇降ロッド１３の押し上げを解除すると、付勢手段１５の付勢力によって位置決めスペーサ１１は水平状態を保持して下降する。したがって、ダイホルダ４上のダイ５は、位置決めスペーサ１１に備えた位置決め孔９に嵌合して不動状態に位置決めされることになる。
【００２１】
前述のごとく位置決めスペーサ１１の位置決め孔９にダイ５を嵌合するとき、位置決め孔９の軸心とダイ５の軸心が僅かに位置ずれしていると、位置決め孔９の下部周縁に形成したガイド面２１がダイ５の上面周縁に当接し、ダイ５の軸心が位置決め孔９の軸心と一致するようにダイ５を相対的に僅かに水平に移動して位置決め孔９に嵌合することになる。
【００２２】
上記説明より理解されるように、ダイホルダ４に対するダイ５の着脱は、ダイホルダ４の上面に形成したダイガイド溝７に沿ってダイ５を水平に移動する構成であるから、例えばダイ５を上下方向から把持した状態でもってダイ５の移動を行うことができ、ダイ５の着脱を容易に行うことができるものである。そして、ダイホルダ４上においてのダイ５の位置決めは、垂直に上下動する位置決めスペーサ１１に備えた位置決め孔９にダイ５を嵌合することによって行われるものであり、上記位置決め孔９に対するダイ５の嵌合は、位置決め孔９に対してダイ５を傾斜することなく行われ得る。したがって、かじり現象などを生じるようなことがなく、前述したごとき従来の問題点を解消することができるものである。
【００２３】
ところで、前記実施形態の説明においては、タレットパンチプレスにおける下部タレット１上にダイホルダ４を一体的に備えた構成の場合について例示したが、パンチプレスにおいて複数のダイ５を支持する下部タレットあるいは複数のダイ５を支持するダイ支持ブロックにおいて直接支持する構成にも前述したごとき構成のダイ支持装置を適用することができるものである。また、パンチプレスに対して着脱交換可能なダイホルダに前述したごとき構成のダイ支持装置を適用することができる。
【００２４】
図３は、パンチプレスにおけるダイ装着部に対して着脱交換可能なダイホルダ４Ａに対してダイ５を着脱交換可能に備えたダイ支持装置３Ａを示すものである。この実施形態のダイ支持装置３Ａにおけるダイホルダ４Ａの外形形状は、パンチプレスにおけるダイ装着部（図示省略）に対して着脱するために、上記ダイ装着部に対応した形状に構成してある。すなわち、前記ダイ装着部が多角形状のダイホルダを対象とする場合には多角形状に形成し、円形状のダイホルダを対象とする場合には円形状に形成してある。
【００２５】
前記ダイ支持装置３Ａの構成について説明するに、前述したダイ支持装置３における構成要素と同一機能を奏する構成要素には同一符号を付することとして重複した説明は省略する。すなわち、このダイ支持装置３Ａにおいては、パンチプレスのダイ装着部が円形状のダイホルダを対象とするので、ダイホルダ４Ａ及び位置決めスペーサ１１の外形形状は円形状に形成してある。そして、前記ダイホルダ４Ａの下部に付勢手段としての弾性部材１５が備えられている。
【００２６】
したがって、上記構成においては、パンチプレスにおけるダイ装着部からダイホルダ４Ａを取り外した状態において、ダイホルダ４Ａに対して位置決めスペーサ１１を相対的に押し上げた状態に保持することにより、ダイホルダ４Ａに対するダイ５の着脱交換を前述同様に容易に行い得るものである。
【図面の簡単な説明】
【００２７】
【図１】本発明の実施形態に係るダイ支持装置をタレットパンチプレスにおける下部タレットに適用した場合を例示した説明図である。
【図２】ダイ支持装置の構成を示す説明図である。
【図３】パンチプレスにおけるダイ装着部に対して着脱可能なダイホルダにダイ支持装置を適用した場合の構成を示す説明図である。
【符号の説明】
【００２８】
１    下部タレット
３，３Ａ    ダイ支持装置
４，４Ａ    ダイホルダ（ダイ支持部材）
５    ダイ
７    ダイガイド溝
９    位置決め孔
１１    位置決めスペーサ
１３    昇降ロッド
１５    弾性部材（付勢手段）
２１    ガイド面
２３    開口溝
【図１】
2009262189.tif 000003
【図２】
2009262189.tif 000004
【図３】
2009262189.tif 000005